(57)【要約】【課題】モータを用いずにディスクトレイの開閉を駆動源としてピックアップを反転させ、１つのピックアップで２枚の光ディスクを再生する光ディスク装置を提供することである。【解決手段】何れかのディスクトレイ１１又は１２の挿入時であってピックアップ１４が反対面を向いている場合には、ディスクトレイ１１又は１２のラック１１ａ又は１２ａとピニオン１４ａ又は１４ｂとが噛合してピックアップ１４を反転させ、何れかのディスクトレイ１１又は１２の挿入時であってピックアップ１４がディスクトレイ１１又は１２側を向いている場合には、ディスクトレイ１１又は１２のラック１１ａ又は１２ａはピニオン１４ａ又は１４ｂの歯が形成されていない側を通過する構成とする。【選択図】      図２
2004234701.tif 000002
【特許請求の範囲】
【請求項１】
２枚の光ディスクを１つのピックアップで再生する光ディスク装置において、
前記光ディスクを搬送し、両記録面を対向させて収納する第１及び第２のディスクトレイと、
前記対向した両光ディスクを支持する両軸のチャッキング部と、
前記両光ディスクの間に設けられ、反転して両光ディスクの記録面を読み取るピックアップと、
略半周部分に歯を形成し、前記ピックアップのディスクトレイ駆動方向に平行な両側面に、歯方向を１８０°回転させた状態で固定した第１及び第２のピニオンと、
第１のディスクトレイのピックアップ側の後端付近に設け、第１のピニオンと噛合する第１のラックと、
第２のディスクトレイのピックアップ側の後端付近に設け、第２のピニオンと噛合する第２のラックとを備え、
前記何れかのディスクトレイの挿入時であってピックアップが反対面を向いている場合には、該ディスクトレイのラックと前記ピニオンとが噛合して前記ピックアップを反転させ、前記何れかのディスクトレイの挿入時であって前記ピックアップが該ディスクトレイ側を向いている場合には、該ディスクトレイのラックは前記ピニオンの歯が形成されていない側を通過し、
反転時には、前記ピックアップは前記両光ディスクの対向する空間外に位置することを特徴とする光ディスク装置。
【請求項２】
２枚の光ディスクを１つのピックアップで再生する光ディスク装置において、
前記光ディスクを搬送し、両記録面を対向させて収納する第１及び第２のディスクトレイと、
前記対向した両光ディスクを支持する両軸のチャッキング部と、
前記両光ディスクの間に設けられ、反転して両光ディスクの記録面を読み取るピックアップと、
略半周部分に歯を形成し、前記ピックアップのディスクトレイ駆動方向に平行な両側面に、歯方向を１８０°回転させた状態で固定した第１及び第２のピニオンと、
第１のディスクトレイのピックアップ側の一部分に設け、第１のピニオンと噛合する第１のラックと、
第２のディスクトレイのピックアップ側の一部分に設け、第２のピニオンと噛合する第２のラックとを備えたことを特徴とする光ディスク装置。
【請求項３】
前記両軸のチャッキング部に替えて、第１及び第２のディスクトレイにそれぞれスピンドルモータ付きのチャッキング部を備えることを特徴とする請求項２記載の光ディスク装置。
【発明の詳細な説明】
【０００１】
【発明の属する技術分野】
本発明は、２枚の光ディスクを１つのピックアップで再生する光ディスク装置に関するものである。
【０００２】
【従来の技術】
１つのピックアップでＣＤ（コンパクトディスク）とＭＤ（ミニディスク）とを再生するディスク装置として、特許文献１に開示されているものがある。特許文献１において、ＣＤとＭＤはそれぞれの挿入口から互いの記録面を対向させて挿入され、再生時にはＣＤターンテーブルとＭＤターンテーブルとを有する両軸形の１つのスピンドルモータにより回転駆動される。１つのピックアップをモータを利用した反転機構により、ＭＤ再生時には上向きにしてＭＤと対向させ、ＣＤ再生時には下向きにしてＣＤと対向させる。これにより、ＣＤとＭＤを自動交換している。
【０００３】
【特許文献１】
特開平１０−２２２９６２号公報
【０００４】
【発明が解決しようとする課題】
しかしながら、上記の特許文献１では２種類のディスクを収めたままでピックアップを反転させるために反転駆動モータを用いており、コストがかかり、モータの設置スペースも必要となる。
【０００５】
本発明は、上記の問題点に鑑み、モータを用いずにディスクトレイの開閉を駆動源としてピックアップを反転させ、１つのピックアップで２枚の光ディスクを再生する光ディスク装置を提供することを目的とする。
【０００６】
【課題を解決するための手段】
上記目的を達成するために本発明は、２枚の光ディスクを１つのピックアップで再生する光ディスク装置において、前記光ディスクを搬送し、両記録面を対向させて収納する第１及び第２のディスクトレイと、前記対向した両光ディスクを支持する両軸のチャッキング部と、前記両光ディスクの間に設けられ、反転して両光ディスクの記録面を読み取るピックアップと、略半周部分に歯を形成し、前記ピックアップのディスクトレイ駆動方向に平行な両側面に、歯方向を１８０°回転させた状態で固定した第１及び第２のピニオンと、第１のディスクトレイのピックアップ側の一部分に設け、第１のピニオンと噛合する第１のラックと、第２のディスクトレイのピックアップ側の一部分に設け、第２のピニオンと噛合する第２のラックとを備えたことを特徴とするものである。
【０００７】
この構成によれば、ピックアップを回転させるモータを用いずに、ディスクトレイの開閉を駆動源としてピックアップを反転させることができ、１つのピックアップで２枚の光ディスクを再生することができる。
【０００８】
なお、前記両軸のチャッキング部に替えて、第１及び第２のディスクトレイにそれぞれスピンドルモータ付きのチャッキング部を備えるようにしてもよい。
【０００９】
また本発明は、２枚の光ディスクを１つのピックアップで再生する光ディスク装置において、前記光ディスクを搬送し、両記録面を対向させて収納する第１及び第２のディスクトレイと、前記対向した両光ディスクを支持する両軸のチャッキング部と、前記両光ディスクの間に設けられ、反転して両光ディスクの記録面を読み取るピックアップと、略半周部分に歯を形成し、前記ピックアップのディスクトレイ駆動方向に平行な両側面に、歯方向を１８０°回転させた状態で固定した第１及び第２のピニオンと、第１のディスクトレイのピックアップ側の後端付近に設け、第１のピニオンと噛合する第１のラックと、第２のディスクトレイのピックアップ側の後端付近に設け、第２のピニオンと噛合する第２のラックとを備え、前記何れかのディスクトレイの挿入時であってピックアップが反対面を向いている場合には、該ディスクトレイのラックと前記ピニオンとが噛合して前記ピックアップを反転させ、前記何れかのディスクトレイの挿入時であって前記ピックアップが該ディスクトレイ側を向いている場合には、該ディスクトレイのラックは前記ピニオンの歯が形成されていない側を通過し、反転時には、前記ピックアップは前記両光ディスクの対向する空間外に位置することを特徴とするものである。
【００１０】
このように、各ディスクトレイの駆動時は、ピックアップは両光ディスクの対向する空間外に位置するように最後端に移動させ、ピックアップの反転によってピックアップと光ディスクとが接触することを防止している。
【００１１】
【発明の実施の形態】
以下に本発明の実施形態について図面を参照して説明する。図１は、光ディスク装置の外観斜視図である。この光ディスク装置１０は横置きの例であり、第１のディスクトレイ１１には光ディスクを記録面を下にして載置し、第２のディスクトレイ１２には光ディスクを記録面を上にして載置する。従って、第１及び第２のディスクトレイ１１、１２にそれぞれ光ディスクが載置され第１及び第２のディスクトレイ１１、１２が挿入されると、２枚の光ディスクが互いに記録面を対向して載置される。なお、第１及び第２のディスクトレイ１１、１２の挿入・取出しは、ディスクトレイ１１、１２の前面を押すか、光ディスク装置１０の前面に設けられたトレイボタン（不図示）を押下すると行われる。
【００１２】
図２は、光ディスク装置１０の側断面図であり、要部の構成部品のみを示している。図３（ａ）は、第１のディスクトレイ１１の平面図、図３（ｂ）は、第２のディスクトレイ１２の平面図である。図４（ａ）は、ピックアップの斜視図、図４（ｂ）は、図４（ａ）の側面図である。なお図中、点線で示す部品は、手前の構成部品に隠れている部品、又は手前の同形状の構成部品と区別して示した部品である。
【００１３】
光ディスク装置１０内部の第１及び第２のディスクトレイ１１、１２の間には、対向した２枚の光ディスクを支持する両軸のチャッキング部１３ａ、１３ｂを有するスピンドルモータ１３と、２枚の光ディスクの間に設けられ、反転して両光ディスクの記録面を読み取るピックアップ１４とが備えられている。
【００１４】
ピックアップ１４のディスクトレイ駆動方向に平行な両側面には、第１のピニオン１４ａ及び第２のピニオン１４ｂが同軸上に固定されている。この第１のピニオン１４ａ及び第２のピニオン１４ｂの略半周部分に歯が形成されている。そして、第１のピニオン１４ａと第２のピニオン１４ｂとは互いの歯方向を１８０°回転させた状態でピックアップ１４に固定されている。ピックアップ１４の第１及び第２のピニオンを設けた面以外の１面には、レーザを透過するピックアップレンズ１４ｃが設けられる。
【００１５】
第１のディスクトレイ１１のピックアップ１４側の後端付近には、第１のピニオン１４ａと噛合する第１のラック１１ａが形成されている。また、第２のディスクトレイ１２のピックアップ１４側の後端付近には、第２のピニオン１４ｂと噛合する第２のラック１２ａが形成されている。図３に示すように、各ディスクトレイ１１、１２にはピックアップ移動穴１１ｂ、１２ｂが空けられている。そして、ピックアップ移動穴１１ｂの後端付近の片側に沿って第１のラック１１ａが形成され、ピックアップ移動穴１２ｂの後端付近の片側に沿って第２のラック１２ａが形成されている。
【００１６】
図２では省略したが、図５に、ピックアップ１４周辺の構成の斜視図を示す。ピックアップ１４及び各ピニオン１４ａ、１４ｂは、ピックアップモジュール１５に格納される。ピックアップモジュール１５は２本のシャフト１６、１７で光ディスクの径方向に移動可能に支持される。
【００１７】
図６は、光ディスク装置１０の回路構成を示すブロック図である。光ディスク装置１０は、ピックアップ１４と、ＲＦアンプ２１と、スピンドルモータ１３と、サーボ回路２２と、信号処理回路２３と、トラックバッファ２４と、システムデコーダ２５と、システムマイコン２６と、表示部２７とを備えている。
【００１８】
ピックアップ１４は、所定波長のレーザ光を光ディスクの記録面に向けて照射し、その反射光を受けて電気信号（反射光検出信号）に変換する。またピックアップ１４は、この反射光検出信号をＲＦアンプ２１に供給する。
【００１９】
ＲＦアンプ２１は、ピックアップ１４より供給された反射光検出信号からＲＦ信号、トラッキング信号、及びフォーカス信号等を生成する。更に、ＲＦ信号をデータスライスした二値化信号を生成する。ＲＦアンプ２１は、生成したトラッキング信号等をサーボ回路２２に供給し、また、生成した二値化信号を再生信号として信号処理回路２３に供給する。
【００２０】
スピンドルモータ１３は、サーボ回路２２により制御され、光ディスクを例えば線速度が一定となるように回転駆動させる。
【００２１】
サーボ回路２２は、スピンドルモータ１３を駆動制御し、所定の回転速度で回転駆動させる。また、サーボ回路２２は、ＲＦアンプ２１から供給されるトラッキング信号等によりスレッドモータ（不図示）を駆動制御し、ピックアップ１４を光ディスクの径方向に適宜移動させる。
【００２２】
信号処理回路２３は、ＲＦアンプ２１から供給される再生信号を復調し、そして、誤り訂正等を行う。信号処理回路２３は、この復調等により得られた復調データをトラックバッファ２４に順次供給する。
【００２３】
トラックバッファ２４は、所定容量のＲＡＭ等からなり、信号処理回路２３から供給された復調データを順次記憶する。なお、トラックバッファ２４に記憶された復調データは、システムデコーダ２５へ逐次供給される。
【００２４】
システムデコーダ２５は、トラックバッファ２４から供給される復調データをデコードし、映像データ及び音声データ等を生成する。システムデコーダ２５は、生成した映像データ及び音声データ等を所定のＡＶアンプ等に供給する。
【００２５】
システムマイコン２６は、例えば、ＲＯＭ、ＲＡＭ、及びＣＰＵを備えた１チップマイコン等からなり、光ディスク装置１０全体を制御する。システムマイコン２６は、サーボ回路２２等を制御して、対象データを光ディスクから読み出し、信号処理回路２３を制御して、読み出した対象データ（再生信号）の復調及び誤り訂正等を行い、復調データをトラックバッファ２４に格納する。システムマイコン２６は、これら一連の動作をトラックバッファ２４の空き容量等に応じて繰り返し行う。
【００２６】
またこれらの動作と並行して、システムマイコン２６は、システムデコーダ２５を制御してトラックバッファ２４に格納されている復調データをデコードし、映像データ及び音声データ等を順次再生する。
【００２７】
表示部２７は、ＬＣＤ（Ｌｉｑｕｉｄ  Ｃｒｙｓｔａｌ  Ｄｉｓｐｌａｙ）パネル等からなり、光ディスク装置１０の動作状況等を表示する。
【００２８】
図７〜図１０は、各ディスクトレイ１１、１２駆動時の各ディスクトレイ１１、１２及びピックアップ１４の側断面図の一例である。図中、矢印はピックアップレンズ１４ｃの向きを示している。なお、各ディスクトレイ１１、１２の駆動時は、ピックアップ１４は両光ディスクの対向する空間外に位置するように最後端に移動させ、ピックアップ１４の反転によってピックアップ１４と光ディスクとが接触することを防止している。
【００２９】
例えば、両ディスクトレイ１１、１２が収納されており、ピックアップレンズ１４ｃが第１のディスクトレイ１１側を向いている状態（図７（ａ））から第１のディスクトレイ１１を取り出す場合、第１のディスクトレイ１１の駆動により第１のラック１１ａと第１のピニオン１４ａとが噛合し（図７（ｂ））、ピックアップ１４が１８０°回転し、ピックアップレンズ１４ｃは第２のディスクトレイ１２側を向く（図７（ｃ））。
【００３０】
この状態（図７（ｃ））から第２のディスクトレイ１２も取り出す場合、第２のディスクトレイ１２の駆動により第２のラック１２ａと第２のピニオン１４ｂとが噛合し（図８（ａ））、ピックアップ１４が１８０°回転し、ピックアップレンズ１４ｃは第１のディスクトレイ１１側を向く（図８（ｂ））。
【００３１】
この状態（図８（ｂ））から第１のディスクトレイ１１を挿入する場合、第１のディスクトレイ１１の駆動により第１のラック１１ａと第１のピニオン１４ａとは噛合せず、第１のラック１１ａは第１のピニオン１４ａの歯が形成されていない側を通過する（図９（ａ））。従って、ピックアップ１４は反転せず、ピックアップレンズ１４ｃは第１のディスクトレイ１１側を向いたままである（図９（ｂ））。
【００３２】
このように、第１のディスクトレイ１１の挿入後は、ピックアップレンズ１４ｃは第１のディスクトレイ１１側を向いているので、いつでも光ディスクを再生することができる。
【００３３】
次に、図９（ｂ）の状態から第２のディスクトレイ１２を挿入する場合、第２のディスクトレイ１２の駆動により第２のラック１２ａと第２のピニオン１４ｂとが噛合し（図１０（ａ））、ピックアップ１４が１８０°回転し、ピックアップレンズ１４ｃは第２のディスクトレイ１２側を向く（図１０（ｂ））。
【００３４】
このように、第２のディスクトレイ１２の挿入後は、ピックアップレンズ１４ｃは第２のディスクトレイ１２側を向いているので、いつでも光ディスクを再生することができる。
【００３５】
上記の駆動例で説明したように、一方のディスクトレイの挿入時であってピックアップレンズ１４ｃが反対面（反対のディスクトレイ側）を向いている場合には、このディスクトレイのラックとピニオンとが噛合してピックアップを反転させる。また、一方のディスクトレイの挿入時であってピックアップがこのディスクトレイ側を向いている場合には、このディスクトレイのラックはピニオンの歯が形成されていない側を通過し、ピックアップは反転しない。従って、何れの場合もディスクトレイを挿入すると必ず、挿入したディスクトレイ側にピックアップレンズが向くことになる。
【００３６】
この構成により、ピックアップを回転させるモータを用いずに、ディスクトレイの開閉を駆動源としてピックアップを反転させることができ、１つのピックアップで２枚の光ディスクを再生することができる。
【００３７】
なお、縦置きの光ディスク装置の場合、トレイの両外側から光ディスクを載置するようにしてもよい。なお、両軸のチャッキング部１３ａ、１３ｂを有するスピンドルモータ１３の替りに、各ディスクトレイにスピンドルモータ付チャッキング部を設けてもよい。
【００３８】
また、２枚の光ディスクが光ディスク装置１０内に収まっている状態で再生するディスクを切り換える場合は、再生ボタンに連動して自動で、再生する側のディスクトレイを開閉させてから再生するようにすればよい。これにより、ピックアップレンズを所望のディスクトレイ側に向けることができる。
【００３９】
【発明の効果】
本発明によれば、光ディスクを搬送し、両記録面を対向させて収納する第１及び第２のディスクトレイと、対向した両光ディスクを支持する両軸のチャッキング部と、両光ディスクの間に設けられ、反転して両光ディスクの記録面を読み取るピックアップと、略半周部分に歯を形成し、ピックアップのディスクトレイ駆動方向に平行な両側面に、歯方向を１８０°回転させた状態で固定した第１及び第２のピニオンと、第１のディスクトレイのピックアップ側の後端付近に設け、第１のピニオンと噛合する第１のラックと、第２のディスクトレイのピックアップ側の後端付近に設け、第２のピニオンと噛合する第２のラックとを備えることにより、何れかのディスクトレイの挿入時であってピックアップが反対面を向いている場合には、該ディスクトレイのラックとピニオンとが噛合してピックアップを反転させ、何れかのディスクトレイの挿入時であって前記ピックアップが該ディスクトレイ側を向いている場合には、該ディスクトレイのラックはピニオンの歯が形成されていない側を通過する。
【００４０】
その結果、ピックアップを回転させるモータを用いずに、ディスクトレイの開閉を駆動源としてピックアップを反転させることができ、１つのピックアップで２枚の光ディスクを再生することができる。
【図面の簡単な説明】
【図１】本発明の光ディスク装置の外観斜視図である。
【図２】本発明の光ディスク装置の側断面図である。
【図３】（ａ）は第１のディスクトレイの平面図、（ｂ）は第２のディスクトレイの平面図である。
【図４】（ａ）は、ピックアップの斜視図、（ｂ）は、図４（ａ）の側面図である。
【図５】本発明のピックアップ周辺の構成の斜視図である。
【図６】本発明の光ディスク装置の回路構成を示すブロック図である。
【図７】本発明の各ディスクトレイ駆動時の各ディスクトレイ及びピックアップの側断面図の一例である。
【図８】本発明の各ディスクトレイ駆動時の各ディスクトレイ及びピックアップの側断面図の一例である。
【図９】本発明の各ディスクトレイ駆動時の各ディスクトレイ及びピックアップの側断面図の一例である。
【図１０】本発明の各ディスクトレイ駆動時の各ディスクトレイ及びピックアップの側断面図の一例である。
【符号の説明】
１０    光ディスク装置
１１    第１のディスクトレイ
１２    第２のディスクトレイ
１３ａ、１３ｂ    チャッキング部
１４    ピックアップ
１４ａ    第１のピニオン
１４ｂ    第２のピニオン
【図１】
2004234701.tif 000003
【図２】
2004234701.tif 000004
【図３】
2004234701.tif 000005
【図４】
2004234701.tif 000006
【図５】
2004234701.tif 000007
【図６】
2004234701.tif 000008
【図７】
2004234701.tif 000009
【図８】
2004234701.tif 000010
【図９】
2004234701.tif 000011
【図１０】
2004234701.tif 000012